【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
衣服と共に使用するためのファスナーアセンブリであって、
ａ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｂ）第１および第２閉鎖用テープであって、各閉鎖用テープが内部エッジと外部エッジとを有する第１および第２閉鎖用テープとを含み、
前記第１ファスナーテープの前記第２端部が前記第１閉鎖用テープの前記内部エッジへ取り付けられ、前記第２ファスナーテープの前記第２端部が前記第２閉鎖用テープの前記内部エッジへ取り付けられ、
前記第１閉鎖用テープが前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、
ｉ）前記第１および第２閉鎖用テープの各々の前記外部エッジが重複し、
ｉｉ）前記第１閉鎖用テープの前記外部エッジがファスニング務歯の前記噛合領域を完全に覆い、
ｉｉｉ）前記第１閉鎖用テープの前記外部エッジの、前記第２閉鎖用テープの前記外部エッジによる重複部分がファスニング務歯の前記噛合領域を越えて延在する、ファスナーアセンブリ。
【請求項２】
防護衣料用布帛と、防護衣料用布帛の第１および第２領域をつなぐためのファスナーアセンブリとを含む衣服であって、
ａ）前記ファスナーアセンブリが、
ｉ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｉｉ）第１および第２閉鎖用テープであって、各閉鎖用テープが内部エッジと外部エッジとを有する、第１および第２閉鎖用テープとを含み、
前記第１ファスナーテープの前記第２端部が前記第１閉鎖用テープの前記内部エッジへ取り付けられ、前記第２ファスナーテープの前記第２端部が前記第２閉鎖用テープの前記内部エッジへ取り付けられ、
前記第１閉鎖用テープの各々が前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、前記第１および第２閉鎖用テープの各々の前記外部エッジが重複し、前記第１閉鎖用テープの前記外部エッジがファスニング務歯の前記噛合領域を完全に覆い、前記第１閉鎖用テープの前記外部エッジの、前記第２閉鎖用テープの前記外部エッジによる重複部分がファスニング務歯の前記噛合領域を越えて延在し、
ｂ）前記衣服が、前記ファスナーアセンブリを防護衣料用布帛の前記第１領域へ前記第１閉鎖用テープの前記内部および外部エッジならびに前記第１ファスナーテープを通って取り付ける第１縫い目と、前記ファスナーアセンブリを防護衣料用布帛の前記第２領域へ前記第２閉鎖用テープの前記内部および外部エッジならびに前記第２ファスナーテープを通って取り付ける第２縫い目とを有し、
但し前記第１縫い目は前記第２閉鎖用テープを通って縫わず、前記第２縫い目は前記第１閉鎖用テープを通って縫わない、衣服。
【請求項３】
防護衣料用布帛と、防護衣料用布帛の第１および第２領域をつなぐためのファスナーアセンブリとを含む衣服であって、
ａ）前記ファスナーアセンブリが、
ｉ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｉｉ）第１および第２閉鎖用テープであって、各閉鎖用テープが内部エッジと外部エッジとを有する、第１および第２閉鎖用テープとを含み、
前記第１ファスナーテープの前記第２端部が前記第１閉鎖用テープの前記内部エッジへ取り付けられ、前記第２ファスナーテープの前記第２端部が前記第２閉鎖用テープの前記内部エッジへ取り付けられ、
前記第１閉鎖用テープの各々が前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、前記第１および第２閉鎖用テープの各々の前記外部エッジが重複し、前記第１閉鎖用テープの前記外部エッジがファスニング務歯の前記噛合領域を完全に覆い、前記第１閉鎖用テープの前記外部エッジの、前記第２閉鎖用テープの前記外部エッジによる重複部分がファスニング務歯の前記噛合領域を越えて延在し、
ｂ）前記衣服が、前記ファスナーアセンブリを防護衣料用布帛の前記第１領域へ前記第１閉鎖用テープの前記内部エッジおよび前記第１ファスナーテープを通って取り付ける第１縫い目と、前記ファスナーアセンブリを防護衣料用布帛の前記第２領域へ前記第２閉鎖用テープの前記内部エッジおよび前記第２ファスナーテープを通って取り付ける第２縫い目とを有し、
但し前記第１縫い目は前記第２閉鎖用テープを通って縫わず、前記第２縫い目は前記第１閉鎖用テープを通って縫わない、衣服。
【手続補正２】
【補正対象書類名】明細書
【補正対象項目名】００３０
【補正方法】変更
【補正の内容】
【００３０】
実施例４
実施例１〜３が繰り返されるが、しかしながらファスナーアセンブリは、図３に示されるとおり、前述の内部フラップ特徴部４１を有して構成される。実施例２および３におけるとおり、衣服はファスナーアセンブリを通じた液体／粒子の進入を示さない。
次に、本発明の態様を示す。
１.  衣服と共に使用するためのファスナーアセンブリであって、
ａ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｂ）第１および第２閉鎖用テープであって、各閉鎖用テープが内部エッジと外部エッジとを有する第１および第２閉鎖用テープとを含み、
前記第１ファスナーテープの前記第２端部が前記第１閉鎖用テープの前記内部エッジへ取り付けられ、前記第２ファスナーテープの前記第２端部が前記第２閉鎖用テープの前記内部エッジへ取り付けられ、
前記第１閉鎖用テープが前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、
ｉ）前記第１および第２閉鎖用テープの各々の前記外部エッジが重複し、
ｉｉ）前記第１閉鎖用テープの前記外部エッジがファスニング務歯の前記噛合領域を完全に覆い、
ｉｉｉ）前記第１閉鎖用テープの前記外部エッジの、前記第２閉鎖用テープの前記外部エッジによる重複部分がファスニング務歯の前記噛合領域を越えて延在する、ファスナーアセンブリ。
２.  前記第１閉鎖用テープの前記外部エッジ上に内部フラップを形成する逆の折り目をさらに含み、その結果、前記ファスナーが閉じられるとき、前記内部フラップの前記折り目が前記第２閉鎖用テープの下にその内部エッジとその外部エッジとの間に嵌り込む、上記１に記載のファスナーアセンブリ。
３.  前記第１または第２閉鎖用テープの前記内部エッジは、前記ファスナーが閉じられるときファスニング務歯の前記噛合領域を覆う延長フラップをさらに含む上記１に記載のファスナーアセンブリ。
４.  前記ファスナーがスライドファスナーであり、前記第１および第２ファスナーテープがストリンガテープであり、前記ファスナー務歯が前記ストリンガテープ上に取り付けられた協働スライドファスナー務歯であり、前記スライドファスナーが、前記スライドファスナーを開くおよび閉じるための前記ストリンガテープ上の前記ファスナー務歯と協働するスライダをさらに含む、上記１〜３のいずれか一項に記載のファスナー。
５.  前記ファスナーがフックアンドループファスナー務歯を有するフックアンドループファスナーである、上記１〜３のいずれか一項に記載のファスナーアセンブリ。
６.  防護衣料用布帛と、防護衣料用布帛の第１および第２領域をつなぐためのファスナーアセンブリとを含む衣服であって、
ａ）前記ファスナーアセンブリが、
ｉ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｉｉ）第１および第２閉鎖用テープであって、各閉鎖用テープが内部エッジと外部エッジとを有する、第１および第２閉鎖用テープとを含み、
前記第１ファスナーテープの前記第２端部が前記第１閉鎖用テープの前記内部エッジへ取り付けられ、前記第２ファスナーテープの前記第２端部が前記第２閉鎖用テープの前記内部エッジへ取り付けられ、
前記第１閉鎖用テープの各々が前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、前記第１および第２閉鎖用テープの各々の前記外部エッジが重複し、前記第１閉鎖用テープの前記外部エッジがファスニング務歯の前記噛合領域を完全に覆い、前記第１閉鎖用テープの前記外部エッジの、前記第２閉鎖用テープの前記外部エッジによる重複部分がファスニング務歯の前記噛合領域を越えて延在し、
ｂ）前記衣服が、前記ファスナーアセンブリを防護衣料用布帛の前記第１領域へ前記第１閉鎖用テープの前記内部および外部エッジならびに前記第１ファスナーテープを通って取り付ける第１縫い目と、前記ファスナーアセンブリを防護衣料用布帛の前記第２領域へ前記第２閉鎖用テープの前記内部および外部エッジならびに前記第２ファスナーテープを通って取り付ける第２縫い目とを有し、
但し前記第１縫い目は前記第２閉鎖用テープを通って縫わず、前記第２縫い目は前記第１閉鎖用テープを通って縫わない、衣服。
７.  前記第１閉鎖用テープが防護衣料の前記第１領域へ、前記第１縫い目を覆う外部封止テープでさらに取り付けられ、前記第２閉鎖用テープが防護衣料の前記第２領域へ、前記第２縫い目を覆う外部封止テープでさらに取り付けられる、上記６に記載の衣服。
８.  前記ファスナーアセンブリが前記第１閉鎖用テープの前記外部エッジ上に内部フラップを形成する逆の折り目をさらに含み、その結果、前記ファスナーが閉じられるとき、前記内部フラップの前記折り目が前記第２閉鎖用テープの下にその内部エッジとその外部エッジとの間に嵌り込む、上記６に記載の衣服。
９.  前記ファスナーアセンブリの前記第１または第２閉鎖用テープの前記内部エッジは、前記ファスナーが閉じられるときファスニング務歯の前記噛合領域を覆う延長フラップをさらに含む、上記６に記載の衣服。
１０.  前記ファスナーはスライドファスナーであり、前記第１および第２ファスナーテープはストリンガテープであり、前記ファスナー務歯は前記ストリンガテープ上に取り付けられた協働スライドファスナー務歯であり、前記スライドファスナーは、前記スライドファスナーを開くおよび閉じるために前記ストリンガテープ上の前記ファスナー務歯と協働するスライダをさらに含む、上記６〜９のいずれか一項に記載の衣服。
１１.  前記ファスナーがフックアンドループファスナー務歯を有するフックアンドループファスナーである、上記６〜９のいずれか一項に記載の衣服。
１２.  防護衣料用布帛と、防護衣料用布帛の第１および第２領域をつなぐためのファスナーアセンブリとを含む衣服であって、
ａ）前記ファスナーアセンブリが、
ｉ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｉｉ）第１および第２閉鎖用テープであって、各閉鎖用テープが内部エッジと外部エッジとを有する、第１および第２閉鎖用テープとを含み、
前記第１ファスナーテープの前記第２端部が前記第１閉鎖用テープの前記内部エッジへ取り付けられ、前記第２ファスナーテープの前記第２端部が前記第２閉鎖用テープの前記内部エッジへ取り付けられ、
前記第１閉鎖用テープの各々が前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、前記第１および第２閉鎖用テープの各々の前記外部エッジが重複し、前記第１閉鎖用テープの前記外部エッジがファスニング務歯の前記噛合領域を完全に覆い、前記第１閉鎖用テープの前記外部エッジの、前記第２閉鎖用テープの前記外部エッジによる重複部分がファスニング務歯の前記噛合領域を越えて延在し、
ｂ）前記衣服が、前記ファスナーアセンブリを防護衣料用布帛の前記第１領域へ前記第１閉鎖用テープの前記内部エッジおよび前記第１ファスナーテープを通って取り付ける第１縫い目と、前記ファスナーアセンブリを防護衣料用布帛の前記第２領域へ前記第２閉鎖用テープの前記内部エッジおよび前記第２ファスナーテープを通って取り付ける第２縫い目とを有し、
但し前記第１縫い目は前記第２閉鎖用テープを通って縫わず、前記第２縫い目は前記第１閉鎖用テープを通って縫わない、衣服。
１３.  前記ファスナーアセンブリが前記第１閉鎖用テープの前記外部エッジ上に内部フラップを形成する逆の折り目をさらに含み、その結果、前記ファスナーが閉じられるとき、前記内部フラップの前記折り目が前記第２閉鎖用テープの下にその内部エッジとその外部エッジとの間に嵌り込む、上記１２に記載の衣服。
１４.  前記ファスナーアセンブリの前記第１または第２閉鎖用テープの前記内部エッジが、前記ファスナーが閉じられるときファスニング務歯の前記噛合領域を覆う延長フラップをさらに含む、上記１２に記載の衣服。
１５.  前記ファスナーはスライドファスナーであり、前記第１および第２ファスナーテープはストリンガテープであり、前記ファスナー務歯は前記ストリンガテープ上に取り付けられた協働スライドファスナー務歯であり、前記スライドファスナーは、前記スライドファスナーを開くおよび閉じるために前記ストリンガテープ上の前記ファスナー務歯と協働するスライダをさらに含む、上記１２〜１４のいずれか一項に記載の衣服。
１６.  前記ファスナーがフックアンドループファスナー務歯を有するフックアンドループファスナーである、上記１２〜１４のいずれか一項に記載の衣服。